(57)【要約】  【課題】  蓋部を僅かに開いただけでその開状態が検知される開閉機構を提供する。  【解決手段】  本体カバー３の閉状態では、アクチュエータ５２の当接面５９がカバー開閉検知スイッチ４１の接触可動部７６を下側へ押し下げている（オン状態）。本体カバー３を徐々に開き始めると、アクチュエータ５２も、本体カバー３側に連結されたカバー側支持軸５１と共に上側へ移動していく。一方、ケース側支持軸６１は本体ケース２側に連結されているため、本体カバー３が開かれると、ケース側支持軸６１はアクチュエータ５２の案内孔５３に対して相対的に下側へ移動し、凸部５６に当接する。これにより、アクチュエータ５２はカバー側支持軸５１を中心に回動し、当接面５９は装置１の前側（図中右側）へ移動する。そのため、接触可動部７６はオン範囲αよりも上側まで上昇し、カバー開閉検知スイッチ４１がオフ状態となって本体カバー３の開状態が検知される。【選択図】  図２
2007067643.tif 000002
【特許請求の範囲】
【請求項１】
本体部と、
前記本体部に対して開閉動作可能な蓋部と、
前記本体部に設けられ、前記蓋部の開閉状態を検知する開閉検知手段と、
前記蓋部に設けられ、前記蓋部の開閉に伴って前記開閉検知手段に作用する方向へ動き、前記蓋部が閉状態のときに前記開閉検知手段に作用してその開閉検知手段に前記蓋部が閉状態であることを検知させる作用手段と、
前記蓋部が完全に閉じた状態から一定量開いたときに前記作用手段を前記作用する方向とは異なる方向に移動させて、前記開閉検知手段への前記作用状態を解除する作用状態解除手段と、を備え、
前記開閉検知手段は、前記作用状態解除手段により前記作用手段が移動されて前記作用状態が解除されたとき、前記蓋部が開状態となったことを検知する
ことを特徴とする開閉機構。
【請求項２】
請求項１記載の開閉機構であって、
前記作用手段は、
前記蓋部において軸心が前記蓋部の開閉方向に垂直となるように設けられた支持軸と、
前記本体部において軸心が前記支持軸の軸心に平行となるように設けられた係合軸と、
前記支持軸を挿通させる挿通孔及び前記係合軸の端部を係合させる案内路が形成され、前記挿通孔に前記支持軸が挿通されると共に前記係合軸が前記案内路に係合されることで、前記蓋部の開閉動作に伴い、前記係合軸が前記案内路に沿って相対的に移動しつつ、前記作用する方向へ動くよう構成された作用部材と、を有し、
前記作用状態解除手段は、
前記蓋部が完全に閉じた状態から前記一定量開いたときに、前記作用部材を前記支持軸を中心に回動させることによって、その作用部材における少なくとも前記開閉検知手段に作用する作用部分を前記作用する方向とは異なる方向へ移動させるよう構成されている
ことを特徴とする開閉機構。
【請求項３】
請求項２記載の開閉機構であって、
前記案内路は、前記蓋部の開閉動作に伴って前記作用部材を前記開閉方向に移動させるための主案内部を有し、
前記作用状態解除手段は、
前記主案内部における、前記蓋部が完全に閉じた状態での前記係合軸の位置からその係合軸が前記蓋部の開方向動作によって移動する方向に隣接した位置に設けられ、前記蓋部を前記一定量開いたときに前記係合軸からの作用を受けて、前記作用部分を前記作用する方向とは異なる方向へ移動させるための解除方向案内部を有する
ことを特徴とする開閉機構。
【請求項４】
請求項２又は３記載の開閉機構であって、
前記開閉検知手段は、前記作用部材によって前記作用する方向へ押圧される押圧部と、
前記押圧部が前記作用手段からの押圧によって予め設定された検知基準長以上押圧されたときに、前記蓋部が閉状態であることを検知する検知部と、
を有し、
前記作用状態解除手段は、前記蓋部が完全に閉じている状態から、前記作用部分を前記作用する方向とは異なる方向に移動させて前記押圧部が押圧されている長さを前記検知基準長よりも短くすることで、前記作用状態を解除する
ことを特徴とする開閉機構。
【請求項５】
請求項２〜４いずれかに記載の開閉機構であって、
前記作用状態解除手段は、前記蓋部が完全に閉じた状態から前記一定量開くまでの間に、前記作用部材を前記作用する方向とは垂直な方向に移動させる
ことを特徴とする開閉機構。
【請求項６】
請求項１〜５いずれかに記載の開閉機構と、
原稿を読み取る原稿読み取り手段と、
前記原稿読み取り手段により読み取られた内容を外部へ出力する出力手段と、
外部から画像データを入力する入力手段と、
前記入力手段により入力された画像データが表す画像を記録媒体へ記録する画像記録手段と、
を備え、前記原稿読み取り手段、前記出力手段、前記入力手段、及び前記画像記録手段は、いずれも前記本体部に収納されている
ことを特徴とする画像処理装置。
【発明の詳細な説明】
【技術分野】
【０００１】
本発明は、本体部に対して開閉可能な蓋部を有する構造体において蓋部の開閉状態を検知可能に構成された開閉機構、及びその開閉機構を備えた画像処理装置に関する。
【背景技術】
【０００２】
従来より、本体ケース（本体部）と本体カバー（蓋部）とを備え、本体カバーが本体ケースに対して開閉動作可能に構成された構造体には、必要に応じて、本体カバーの開閉状態を検知する機能が設けられる。その一例がファクシミリ装置である。ファクシミリ装置では、本体カバーの開閉状態を検知し、本体カバーが閉まっていることが検知されたときに、原稿の読み取り或いは記録紙への画像の記録といった各種動作が行われる。
【０００３】
本体カバーの開閉状態を検知するための方法としては、本体カバーを閉めたときに、その本体カバー自身又は本体カバーと連結する他の部品によって本体ケース内に配置されたスイッチが操作（押圧、当接など）され、閉状態が検出されるという方法がよく用いられる（例えば、特許文献１参照。）。つまり、本体カバーを閉じたときと開いたときとでスイッチのオン・オフ状態が切り換わるように構成することで、本体カバーの開閉状態を検知できるのである。
【０００４】
具体的な例を図７及び図８に示す。図７及び図８はいずれも、カバーの開閉状態を検知するための機構（カバー開閉検知スイッチ４１や後述するアクチュエータ１０１など）を臨むようにファクシミリ装置１００全体を見たときの状態を表す側面図である。両者間で異なるのは本体カバー３の状態であり、図７は本体カバー３が完全に閉じた状態を表しており、図８は本体カバー３が本体カバー回動軸５を中心に所定角度（例えば６°）回動して開いている状態を表している。
【０００５】
図示の如く、従来のファクシミリ装置１００は、本体ケース２に対して本体カバー３が開閉自在に装着された構成となっている。即ち、本体カバー３を開けると、本体カバー３は本体カバー回動軸５を中心として図中反時計回りに回動する。
【０００６】
本体ケース２内における前側（図１の右側）には、原稿を読み取るための原稿読み取り部２５や、記録紙７へ画像の記録を行うための画像記録部１２等が設けられている。原稿挿入口２１から挿入された原稿は、ＡＤＦローラ２２と分離片３１との協働によって一枚ずつ分離され、原稿読み取り部２５へ搬送される。また、本体ケース２内の底部には、当該ファクシミリ装置１００の動作を制御するための各種電子回路が形成されたプリント回路基板４０が配置されている。
【０００７】
そして、ファクシミリ装置１００には、本体カバー３の開閉状態を検知するための機構が設けられている。具体的には、本体カバー３側に連結（固定）されたカバー側支持軸５１と、一端にこのカバー側支持軸５１が挿通されることによってこのカバー側支持軸５１を中心に回動可能なアクチュエータ１０１と、本体ケース２側に連結（固定）されたケース側支持軸６１と、アクチュエータ１０１の下部の当接面１０３によりオン・オフが操作されるカバー開閉検知スイッチ４１とが設けられている。このカバー開閉検知スイッチ４１は、プリント回路基板４０上に固定設置されている。
【０００８】
カバー開閉検知スイッチ４１は、回動軸７５を中心に回動可能な接触可動部７６を備えている。そのため、接触可動部７６を上側から押すと、回動軸７５を中心に回動して下側へ動く。図９に、カバー開閉検知スイッチ４１における接触可動部７６の位置と当該スイッチ４１のオン・オフ状態の関係を示す。
【０００９】
接触可動部７６が何ら押されていない自由状態においては、接触可動部７６は、図９（ａ）に示す最上部に位置する。この最上部の位置ではカバー開閉検知スイッチ４１はオフ状態である。接触可動部７６がその上側から押されると、上述のように接触可動部７６は回動して下側へ移動する。この下側への移動は、図９（ｂ）に示す最下部の位置まで可能である。この最下部の位置ではカバー開閉検知スイッチ４１はオン状態となる。一方、接触可動部７６を最上部の位置から徐々に押していくと、図９（ｃ）に示す位置にまで移動したときに、カバー開閉検知スイッチ４１がオン状態となる。つまり、図９（ｃ）の位置（オン上限位置）から図９（ｂ）に示した最下部の位置までが、オン状態となる範囲（オン範囲α）である。
【００１０】
アクチュエータ１０１は、図示の如く、円弧状に湾曲した長尺板状の形状をなし、その内部には、当該アクチュエータ１０１の湾曲形状に沿うように設けられた案内孔１０２が形成されている。そして、この案内孔１０２にケース側支持軸６１が挿通されている。
【００１１】
このように構成されたファクシミリ装置１００では、本体カバー３を開けると、本体カバー３に連結されたカバー側支持軸５１も本体カバー３と共に移動（本体カバー回動軸５を中心に回動）する。そのため、図８に示すように、カバー側支持軸５１が挿通されたアクチュエータ１０１も、本体カバー３と共に上側へ移動する。
【００１２】
なお、アクチュエータ１０１の案内孔１０２に挿通されたケース側支持軸６１は、本体ケース２に連結されているため、アクチュエータ１０１が移動してもこのケース側支持軸６１は何ら動かない。そのため、本体カバー３が開かれてアクチュエータ１０１が上側へ移動していくに従い、ケース側支持軸６１は、相対的に案内孔１０２内を下側へ移動していくことになる。
【００１３】
そして、図７に示すように本体カバー３が完全に閉じられているときは、カバー開閉検知スイッチ４１の接触可動部７６は、アクチュエータ１０１の当接面１０３により押圧されて下側へ移動され、オン範囲α内に位置する。
【００１４】
この状態から本体カバー３が徐々に開かれていくと、アクチュエータ１０１の当接面１０３も徐々に上昇していき、カバー開閉検知スイッチ４１の接触可動部７６も上側へ移動していく。そして、本体カバー３の開動作が進み、接触可動部７６が図８に示す状態、即ち図９（ｃ）のオン上限位置よりも上側になると、カバー開閉検知スイッチ４１はオフ状態となる。図８は、本体カバー３が開かれていく過程における、接触可動部７６がオン上限位置を越えた直後の状態を示している。
【００１５】
このように、従来のファクシミリ装置１００では、本体カバー３の開閉動作に伴ってアクチュエータ１０１が上下方向へ動くことにより、カバー開閉検知スイッチ４１の接触可動部７６が操作されて、本体カバー３の開閉状態が検知される。
【特許文献１】特開平８−１８７０５号公報
【発明の開示】
【発明が解決しようとする課題】
【００１６】
ところで、上記のよう本体カバー３の開閉に伴うアクチュエータ１０１の移動（上下動）によってカバー開閉検知スイッチ４１が操作される構成のファクシミリ装置１００においては、カバー開閉検知スイッチ４１と、本体カバー３におけるスイッチに当接する当接面１０３との相対的位置関係が、製品（装置）間でばらつく。
【００１７】
本体カバー３を完全に閉じたとき、当接面１０３とカバー開閉検知スイッチ４１の接触可動部７６との相対的位置関係は、同じ種類・機種の製品であれば理論的には全て等しくなるはずである。しかし、実際には寸法誤差や組み付け時のバラツキなどの種々の要因により、上記相対的位置関係は製品間でばらつくのである。
【００１８】
このバラツキにより、本体カバー３を閉じたときに接触可動部７６が十分に押される（例えば図９（ｂ）の最下部近傍まで押される）製品が存在することもあれば、本体カバー３を完全に閉じても接触可動部７６の押圧が不十分で僅かしか移動しない（例えば図９（ｃ）に示すオン上限位置の近傍までしか移動しない）製品が存在することもある。
【００１９】
そのため、どの製品でも本体カバー３を閉じたときに確実にカバー開閉検知スイッチ４１がオンするよう、カバー開閉検知スイッチ４１としては、オン範囲αがある程度広範囲のものを用いるようにしている。
【００２０】
しかしながら、オン範囲αが広範囲であるということは、製品によっては、本体カバー３をある程度大きく開けないとその開状態が検知できない（オフにならない）ということになる。
【００２１】
即ち、本体カバー３を閉じたときに接触可動部７６が最下部の位置付近まで押されるような製品の場合、本体カバー３を開き始めてから接触可動部７６がオン上限位置を越えるまでに、本体カバー３をある程度大きく開ける必要がある。逆にいうと、開いている本体カバー３を閉じる際、しっかり閉まっていない途中の段階でもカバー開閉検知スイッチ４１がオン状態となってしまう。
【００２２】
そうなると、本体カバー３が完全に閉じられていないにもかかわらずユーザは完全に閉じられたものと誤判断してしまい、その状態のまま原稿読み取り等を実行させようとするおそれがある。本体カバー３が完全に閉じられていない状態で原稿読み取り等を実行させようとしても、原稿の搬送が正常に行われない等のエラーが生じて原稿の読み取りが正常に行われなくなるおそれがある。
【００２３】
本発明は上記課題に鑑みなされたものであり、蓋部を僅かに開いただけでその開状態が検知される（逆に言えば、開いた状態の蓋部が完全に閉じられる寸前までは閉状態が検知されない）ような開閉機構、及びその開閉機構を備えた画像処理装置を提供することを目的とする。
【課題を解決するための手段】
【００２４】
上記課題を解決するためになされた請求項１記載の開閉機構は、本体部と、その本体部に対して開閉動作可能な蓋部と、本体部に設けられ、蓋部の開閉状態を検知する開閉検知手段と、蓋部に設けられ、この蓋部の開閉に伴って開閉検知手段に作用する方向へ動き、蓋部が閉状態のときに開閉検知手段に作用してその開閉検知手段に蓋部が閉状態であることを検知させる作用手段と、蓋部が完全に閉じた状態から一定量開いたときに作用手段を上記作用する方向とは異なる方向に移動させて、開閉検知手段への作用状態を解除する作用状態解除手段と、を備える。そして、開閉検知手段は、作用状態解除手段により作用手段が移動されて作用状態が解除されたとき、蓋部が開状態となったことを検知する。
【００２５】
このように構成された開閉機構では、蓋部の開閉動作に伴って作用手段が単純に作用方向（開閉検知手段に作用する方向）へ往復移動するのではなく、閉じた状態の蓋部が一定量開かれると、作用状態解除手段によって作用手段がその作用方向とは異なる方向へ移動する。つまり、単に作用方向へ移動して開閉検知手段への作用状態（開閉検知手段にて蓋部の開状態が検知されている状態）が解除されるのではなく、作用方向とは異なる方向へ作用手段を移動させることで、開閉検知手段への作用状態が迅速に解除されるのである。
【００２６】
作用手段を作用方向とは異なる方向へ移動させるまでに必要な蓋部の開き量（上記一定量）は、開閉状態の検出の精度に応じて適宜決めればよく、例えば、僅かに開いただけでもその開状態を検知できるようにしたい場合は、上記一定量を小さく設定して、僅かに開いたときに作用手段が作用方向とは異なる方向へ移動されるようにすればよい。なお、一定量以上開いている間は、当然ながら開閉検知手段では開状態が検知され続ける。
【００２７】
従って、請求項１に記載の開閉機構によれば、蓋部が一定量開かれると作用手段が作用方向とは異なる方向へ移動して開閉検知手段への作用状態が解除されるため、僅かに開いただけでもその開状態を検知することが可能となる。
【００２８】
逆に言うと、開いている蓋部を閉じていく場合、閉じる寸前までは作用手段が開閉検知手段に作用せず、僅かな開状態にまで閉じられたときに（つまり、残りの閉じ量が上記一定量よりも少なくなったときに）、作用状態解除手段による解除動作が解かれて作用手段が開閉検知手段に作用することになる。そのため、蓋部の閉状態が不十分なまま誤って開状態と検知されてしまうのを防止することができる。
【００２９】
次に、請求項２記載の発明は、請求項１記載の開閉機構であって、作用手段は、蓋部において軸心が蓋部の開閉方向に垂直となるように設けられた支持軸と、本体部において軸心が支持軸の軸心に平行となるように設けられた係合軸と、蓋部の開閉動作に伴って上記作用する方向（作用方向）へ動く作用部材とを有する。作用部材は、支持軸を挿通させる挿通孔及び係合軸の端部を係合させる案内路が形成され、挿通孔に支持軸が挿通されると共に係合軸が案内路に係合されることで、蓋部の開閉動作に伴い、係合軸が案内路に沿って相対的に移動しつつ、上記作用方向へ動くよう構成されている。
【００３０】
そして、作用状態解除手段は、蓋部が完全に閉じた状態から上記一定量開いたときに、支持軸を中心にして作用部材を回動させることにより、その作用部材における少なくとも開閉検知手段に作用する作用部分を上記作用する方向とは異なる方向へ移動させる。
【００３１】
このように構成された開閉機構においては、蓋部を一定量開くと、作用状態解除手段が作用部材を回動させる。この回動によって、作用部材のうち少なくとも開閉検知手段に作用する部分である作用部分が、上記作用方向とは異なる方向へ移動する。つまり、蓋部が上記一定量開くと、作用部材が回動されてその作用部分が移動し、開閉検知手段への作用状態が解除されるのである。
【００３２】
そのため、蓋部が僅かに開いただけでもその開状態を確実に検知することができる。また、蓋部の閉状態が不十分なまま誤って開状態と判断されてしまうのを防止することができる。
【００３３】
ここで、上記請求項２のように作用部材が案内路を有する構成である場合は、その案内路を、単に作用部材が作用方向へ往復移動するように形成するのではなく、例えば請求項３記載のように、案内路の形状に工夫を加えることで作用部材が作用方向とは異なる方向へ移動するように構成することができる。
【００３４】
即ち、請求項３記載の発明は、請求項２記載の開閉機構であって、案内路は、蓋部の開閉動作に伴って作用部材を上記開閉方向に移動させるための主案内部を有する。そして、作用状態解除手段は、作用部分を上記作用する方向とは異なる方向へ移動させるために主案内部に設けられた解除方向案内部を有する。この解除方向案内部は、主案内部における、蓋部が完全に閉じた状態での係合軸の位置からその係合軸が蓋部の開方向動作によって移動する方向に隣接した位置に設けられている。そして、蓋部を上記一定量開いたときに係合軸からの作用を受けて、作用部分を上記作用方向とは異なる方向へ移動させる。
【００３５】
つまり、完全に閉じた状態の蓋部を開き始めると、蓋部の開方向動作に伴って作用部材もその開く方向へ移動する。作用部材に形成された案内路には本体部に設けられた係合軸が係合しているため、蓋部が開かれることにより、係合軸は案内路の中を相対的に移動することになる。
【００３６】
このとき、案内路が主案内部だけで構成されているならば、作用部材は蓋部の開方向へそのまま移動し、作用部分は開閉検知手段に対してその作用方向に離れていくことになる。しかし、案内路は解除方向案内部を有しており、蓋部を一定量開くと、係合軸からの作用を受ける。このように、支持軸を中心に回動可能な作用部材が有する解除方向案内部が、本体部に設けられた係合軸からの作用を受けることで、作用部材は開閉検知手段への作用方向とは異なる方向へ移動する。これにより、開閉検知手段への作用状態が解除されて、蓋部が開いたことが検知される。
【００３７】
従って、請求項３記載の開閉機構によれば、案内路の形状に工夫を加える（主案内路とは別に解除方向案内部を形成する）だけで、蓋部を開くと係合軸が解除方向案内部に作用して作用部材がその作用方向とは異なる方向に移動するという動作が実現される。そのため、上記請求項１，２記載の発明をより簡易的な構成で実現できる。
【００３８】
次に、請求項４記載の発明は、請求項２又は３記載の開閉機構であって、開閉検知手段は、作用部材によって上記作用する方向へ押圧される押圧部と、押圧部が作用手段からの押圧によって予め設定された検知基準長以上押圧されたときに、蓋部が閉状態であることを検知する検知部とを有する。そして、作用状態解除手段は、蓋部が完全に閉じている状態から、作用部分を上記作用する方向とは異なる方向に移動させて押圧部が押圧されている長さを検知基準長よりも短くすることで、上記作用状態を解除する。
【００３９】
このように構成された開閉機構によれば、蓋部が完全に閉じた状態から一定量開いたとき、作用部材を回動させて作用部分を移動させ、押圧部が押圧されている量を検知基準長よりも短い状態にすることができる。そのため、蓋部が僅かに開いた状態での開状態検出をより確実に行うことができる。
【００４０】
ここで、作用部材による開閉検知手段への作用状態を迅速に解除するためには、作用部分を上記作用方向とは異なる方向へ移動させればよいが、その移動方向としては、例えば請求項５に記載のように、上記作用方向とは垂直な方向とすることができる。つまり、作用状態解除手段は、蓋部が完全に閉じた状態から上記一定量開くまでの間に、作用部材を上記作用する方向とは垂直な方向に移動させるのである。
【００４１】
このように、作用部材が開閉検知手段へ作用する作用方向と垂直な方向へ作用部材を移動させることにより、作用部材による開閉検知手段への作用状態をより早く解除することができる。そのため、より僅かな蓋部の開き量でその開状態を検知することが可能となる。
【００４２】
次に、請求項６記載の発明は、請求項１〜５いずれかに記載の開閉機構と、原稿を読み取る原稿読み取り手段と、原稿読み取り手段により読み取られた内容を外部へ出力する出力手段と、外部から画像データを入力する入力手段と、入力手段により入力された画像データが表す画像を記録媒体へ記録する画像記録手段とを備えた画像処理装置である。この画像処理装置において、原稿読み取り手段、出力手段、入力手段、及び画像記録手段は、いずれも本体部に収納されている
このように、画像処理装置が本発明の開閉機構を備えていることで、蓋部が僅かに開いている状態でもそれをユーザが認識できるようになる。そのため、蓋部が完全に閉じられていないにも関わらず、誤って閉状態が検知されてユーザがそのまま使用してしまうといったことを防ぐことができ、蓋部の締まりが不完全であることに起因する装置使用時のトラブル発生を防止することができる。
【発明を実施するための最良の形態】
【００４３】
以下に、本発明の好適な実施形態を図面に基づいて説明する。
（１）ファクシミリ装置全体の構成
図１は、本発明が適用された画像処理装置としてのファクシミリ装置１の概略構成を示す側断面図である。図１に示す如く、本実施形態のファクシミリ装置１は、本体ケース２に対して本体カバー３が開閉自在に装着された構成となっている。同図において、右側を当該ファクシミリ装置１の前側、左側を当該ファクシミリ装置１の後側とすると、本体カバー３の後側上部には原稿トレイ４が設けられている。本体ケース２は本発明の本体部に相当し、本体カバー３は本発明の蓋部に相当するものである。
【００４４】
本体ケース２と本体カバー３は、それぞれの後端側において本体カバー回動軸５を介して回動自在に連結されている。そして、ユーザが図示しないレバーを操作して本体カバー３を開けると、本体カバー３は本体カバー回動軸５を中心として図中反時計回りに回動する。これにより、原稿トレイ４や後述する操作パネル３７、表示パネル３８などの、当該ファクシミリ装置１における上側に搭載された各種構成部品も、本体カバー３と共に回動する。
【００４５】
本体ケース２には、その後側に、上側が開口した半円筒状のロールトレイ９が設けられている。このロールトレイ９には、感熱紙等の記録紙７がロール状（長尺状）に巻回されてなる記録紙ロール８が収納されている。記録紙７は、ロールトレイ９から引き出された後、カール除去部１１を経て画像記録部１２へ搬送され、この画像記録部１２にて画像が形成された後、記録紙排出経路１０に沿ってファクシミリ装置１の外部（前側）へ排出される。即ち、カール除去部１１を経た後、記録側プラテン１３とサーマルヘッド１４との間を通過し、最終的に記録紙切断部１５により切断されて排出される。
【００４６】
記録紙７は、ファクシミリ装置１の幅方向へライン状に配置されたサーマルヘッド１４による記録可能な範囲をカバーすべく、幅広に形成されている。カール除去部１１は、記録紙７が搬送される経路（記録紙搬送経路）における記録紙ロール８の下流側に設けられており、ロール状に巻回された記録紙７の巻き癖を直す機能を有する。
【００４７】
記録紙搬送経路におけるカール除去部１１の下流側には、記録側プラテン１３及びサーマルヘッド１４からなる画像記録部１２が設けられている。記録側プラテン１３は、後述するモータ９５や図示しないギヤを介して回転駆動され、記録紙７をファクシミリ装置１の前側へ搬送・排出する。なお、画像記録部１２は本発明の画像記録手段に相当するものである。
【００４８】
記録側プラテン１３に対向するように設けられているサーマルヘッド１４は、多数の発熱素子がライン状に配置されたいわゆるラインサーマルヘッドによって構成されている。これにより、サーマルヘッド１４は記録紙７の印字可能範囲をカバーすることができ、記録紙７へ所望の画像（外部電話回線から受信した画像など）を記録することができる。このサーマルヘッド１４は、押圧バネ１７によって記録側プラテン１３の下側周面に向かって押圧されている。
【００４９】
画像記録部１２の下流側には、画像が形成されて当該ファクシミリ装置１の前側へ排出される記録紙７を切断するための記録紙切断部１５が設けられ、切断部カバー３５により覆われている。本実施形態のファクシミリ装置１では、記録紙７への画像記録が終了すると、記録紙切断部１５が、長尺状の記録紙７のうち画像が記録された部分を切り離す。
【００５０】
一方、送信を行う際に原稿トレイ４上に載置された原稿（図示略）は、原稿挿入口２１に挿入されると、ＡＤＦ（Automatic Document Feeder ）ローラ２２や読み取り側プラテン２３により、原稿搬送経路２０に沿って搬送される。即ち、原稿挿入口２１に原稿が挿入されると、原稿はまずＡＤＦローラ２２によって原稿読み取り部へ搬送される。ＡＤＦローラ２２の上側表面には、原稿がＡＤＦローラ２２によって搬送される際に重送されないよう一枚ずつ分離するための分離片３１（図１では図示略。図２参照。）が当接している。そのため、ＡＤＦローラ２２は、原稿挿入口２１に挿入された原稿を、分離片３１と協働して原稿搬送経路２０に沿って一枚ずつ搬送する。
【００５１】
原稿搬送経路２０におけるＡＤＦローラ２２の下流側に設けられた原稿読み取り部２５は、ＣＩＳ（Contact Image Sensor）２４と、このＣＩＳ２４の上側を圧接するように設けられた読み取り側プラテン２３とを備えている。ＣＩＳ２４は、原稿搬送経路２０に沿って搬送されてきた原稿がこのＣＩＳ２４と読み取り側プラテン２３との間を通過する際に、原稿上の画像を順次読み取る。ＣＩＳ２４によって読み取られた画像は、後述する送信部９２を介して外部へ送信される。なお、原稿読み取り部２５は本発明の原稿読み取り手段に相当する。
【００５２】
そして、原稿搬送経路２０における原稿読み取り部２５の下流側には、ＣＩＳ２４により画像が読み取られた後の原稿が原稿搬送経路２０に沿って確実に搬送・排出されるよう、原稿をその排出方向へガイドするための原稿パス２６が設けられている。
【００５３】
原稿パス２６は、開閉カバー２７と固定カバー２８とにより構成される。開閉カバー２７は、画像記録部１２及び記録紙切断部１５を覆うように設けられ、その画像記録部１２及び記録紙切断部１５に対して開閉動作可能に構成されている。この開閉カバー２７の開閉動作は、開閉カバー回動軸２９を中心として回動することにより行われる。
【００５４】
開閉カバー２７の端部（記録側プラテン１３の下流側の位置）には、画像記録後の記録紙７を記録紙排出経路１０に沿って確実に当該装置１の外部へ排出させるためのペーパーガイド４６が形成されている。画像記録部１２を通過した記録紙７は、このペーパーガイド４６によってガイドされ、所定の記録紙排出経路１０に沿って排出されることとなる。
【００５５】
また、本体カバー３には、数字キーや各種ファンクションキー等を有する操作パネル３７や、当該ファクシミリ装置１の状態や画像の送受信状態などの各種情報が表示される、ＬＣＤ（Liquid Crystal Display）等からなる表示パネル３８が設けられている。そして、ユーザが操作パネル３７のキーを押下することにより、当該ファクシミリ装置１が実行可能な各種の動作が行われる。
【００５６】
さらに、本体ケース２内におけるロールトレイ９の下部には、当該ファクシミリ装置１の動作を制御するための各種電子回路が形成されたプリント回路基板４０が配置されている。
【００５７】
（２）本体カバー３の開閉状態検知について
次に、本実施形態のファクシミリ装置１が備える本体カバー３の開閉状態検知機能について、図２及び図３に基づいて説明する。図２及び図３はいずれも、本体カバー３の開閉状態を検知するための機構（カバー開閉検知スイッチ４１や後述するアクチュエータ５２など）を臨むようにファクシミリ装置１全体を見たときの状態を表す側面図である。両者間で異なるのは本体カバー３の状態であり、図２は本体カバー３が完全に閉じた状態を表しており、図３は本体カバー３が本体カバー回動軸５を中心に所定角度（例えば１．５°）回動して開いている状態を表している。
【００５８】
図示の如く、ＡＤＦローラ２２の外周表面には、分離片３１が当接している。この分離片３１とＡＤＦローラ２２との協働によって、既述の通り、原稿の重送を防ぐようにしている。
【００５９】
また、本実施形態のファクシミリ装置１には、本体カバー３の開閉状態を検知するための各種機構が設けられている。具体的には、本体カバー３側に連結（固定）されたカバー側支持軸５１と、一端に形成された挿通孔にこのカバー側支持軸５１が挿通されることによってこのカバー側支持軸５１を中心に回動可能なアクチュエータ５２と、本体ケース２側に連結（固定）されたケース側支持軸６１と、アクチュエータ５２の下部の当接面５９によりオン・オフが操作されるカバー開閉検知スイッチ４１とが設けられている。なお、カバー側支持軸５１は本発明の支持軸に相当し、ケース側支持軸６１は本発明の係合軸に相当し、カバー開閉検知スイッチ４１は本発明の開閉検知手段に相当する。
【００６０】
このうち、カバー側支持軸５１、ケース側支持軸６１、カバー開閉検知スイッチ４１は、いずれも図７で説明した従来のファクシミリ装置１００と同じものである。そのため、カバー開閉検知スイッチ４１は、図９で説明したように、接触可動部７６が最上部の位置（図９（ａ））から最下部の位置（図９（ｂ））まで移動可能である。
【００６１】
そして、接触可動部７６が、当該ファクシミリ装置１に対して上下方向（プリント回路基板４０の板面に垂直な方向）に移動可能な範囲（つまり上記の最上部から最下部までの範囲）のうち、オン範囲α内に位置しているときに、カバー開閉検知スイッチ４１がオンとなる。なお、この上下方向は、本発明における「作用する方向」に相当するものである。また、カバー開閉検知スイッチ４１は本発明の検知部にも相当するものであり、このうち接触可動部７６は本発明の押圧部に相当する。
【００６２】
これにより、本体カバー３が閉状態となったことが検知される。接触可動部７６がオン範囲αの外側、即ち図９（ｃ）に示すオン上限位置よりも上側に位置しているときは、カバー開閉検知スイッチ４１はオフとなる。これにより、本体カバー３が開状態となったことが検知される。なお、接触可動部７６が最上部の位置（図９（ａ））からオン上限位置（図９（ｃ））に至るまでの移動距離（当該装置１の上下方向の移動距離）が、本発明の検知基準長に相当する。つまり、接触可動部７６がその最上部の位置から下側へ「検知基準長」に相当する長さだけ移動する（押圧される）と、接触可動部７６はオン上限位置に到達し、カバー開閉検知スイッチ４１はオン状態となる。
【００６３】
一方、本実施形態のファクシミリ装置１が従来のファクシミリ装置１００と大きく異なるのが、アクチュエータ５２の構成である。図２及び図３に示すように、アクチュエータ５２は円弧状に湾曲した長尺板状の形状をなし、その内部には、当該アクチュエータ５２の湾曲形状に沿うように設けられた案内孔５３が形成されている。そして、この案内孔５３にケース側支持軸６１が挿通（係合）されている。そのため、本体カバー３が開閉される際は、その開閉動作に伴って、ケース側支持軸６１が案内孔５３に沿って相対的に移動する。
【００６４】
案内孔５３は、より具体的には、本体カバー３の開閉動作に伴ってアクチュエータ５２をその開閉方向へ移動させるための主案内部５８と、閉じられた状態の本体カバー３を一定量開いたときにアクチュエータ５２を回動させてその当接面５９を当該ファクシミリ装置１の前側（図２の右側）に移動させるための解除方向案内部５４とを備える。この解除方向案内部５４は、主案内部５８における上側（カバー側支持軸５１側）に形成された凹部５５及び凸部５６により構成される。なお、アクチュエータ５２は本発明の作用部材に相当し、案内孔５３は本発明の案内路に相当する。
【００６５】
ここで、本体カバー３が完全に閉じられた状態では、図２に示すように、ケース側支持軸６１は案内孔５３における上端、即ち解除方向案内部５４の上側においてこの解除方向案内部５４と隣接するように位置している。この状態から、本体カバー３を徐々に開き始めると、アクチュエータ５２も徐々に上側へ移動していく。そのため、案内孔５３に対してケース側支持軸６１は、相対的に下側へ移動していく。
【００６６】
このとき、アクチュエータ５２の下端部の当接面５９は当該装置１の上側へ移動するため、カバー開閉検知スイッチ４１の接触可動部７６を押圧する量が徐々に小さくなっていく。つまり、オン範囲α内にある接触可動部７６が上側に移動していく。
【００６７】
すると、ケース側支持軸６１が凸部５６に当接し、この当接による作用を受けてアクチュエータ５２が回動する。この回動は、カバー側支持軸５１を中心とする図中反時計回り方向の回動である。この回動により、アクチュエータ５２の下端部の当接面５９の移動方向は、上側から前側（図中右側）へと変化する（図３参照）。
【００６８】
そして、本体カバー３の開動作が更に進んでその開き量が一定量になると、当接面５９の前側への移動が更に進む。つまり、図３に示した位置にまで移動（前側へ移動）してきた当接面５９がさらに前側へ移動する。これにより、カバー開閉検知スイッチ４１の接触可動部７６はさらに上側へ上昇し、オン範囲αよりも上側に位置するようになって、カバー開閉検知スイッチ４１がオフ状態となる。なお、当接面５９は本発明の作用部分に相当するものである。
【００６９】
このように、本実施形態のファクシミリ装置１は、本体カバー３を一定量開くことで、当接面５９の移動方向が上側から前側へ変化し、カバー開閉検知スイッチ４１がオフされるよう構成されている。そのため、僅かな開き量でカバー開閉検知スイッチ４１をオフすることができ、本体カバー３の開状態の検知を精度良く行うことができる。
【００７０】
一方、本体カバー３が開いていてケース側支持軸６１が案内孔５３における主案内部５８に位置している状態から、本体カバー３を閉じ始めると、ケース側支持軸６１は主案内部５８に沿って相対的に上側へ移動する。これにより当接面５９は接触可動部７６へ接近していくが、当接面５９が接触可動部７６に当接する前に、ケース側支持軸６１は案内孔５３内の凸部５６に当接する。そのためアクチュエータ５２は、ケース側支持軸６１からの作用を受けて回動し（カバー側支持軸５１を中心とする図中反時計回り方向の回動）、当接面５９が当該装置１の前側（図中右側）へ移動する。
【００７１】
つまり、本体カバー３を閉じていくことによって当接面５９が下側へ移動するとき、そのまま下側への移動が続いて接触可動部７６に当接するのではなく、当接の前に一旦当接面５９を前側に移動させ、接触可動部７６から離間させるのである。
【００７２】
そして、本体カバー３を更に閉じていって、開き量が上記一定量よりも小さくなると、ケース側支持軸６１が案内孔５３に対してさらに相対的に上側へ移動し、解除方向案内部５４の上側へ抜け出す。すると、アクチュエータ５２は元の（回動前の）位置に戻る。これにより、当接面５９も当該装置１の後側へ移動し、接触可動部７６に当接してこれを押圧する。そのため、接触可動部７６はオン範囲α内まで移動する。これにより、本体カバー３の閉状態が検知されるのである。
【００７３】
（３）本体カバー３の開き量に対するカバー開閉検知スイッチ４１の状態について
次に、本体カバー３を徐々に開いていった場合のカバー開閉検知スイッチ４１の状態変化について、より具体的に説明する。まず、比較のために、図７及び図８に示した従来のファクシミリ装置１００について図５に基づいて説明する。
【００７４】
図５に示すように、従来のファクシミリ装置１００では、本体カバー３を１°、３°、５°と順次開いていっても、カバー開閉検知スイッチ４１の接触可動部７６の位置は大きく変わることはなく、オン範囲α内にとどまっている。
【００７５】
つまり、５°開いただけではカバー開閉検知スイッチ４１はオフにならない。逆に言えば、本体カバー３が開いて開状態が検知されている状態から、本体カバー３を徐々に閉じていった場合、まだ５°以上も開いているにもかかわらずカバー開閉検知スイッチ４１はオン状態となって、本体カバー３が閉状態になったものとして検知されてしまう。
【００７６】
これに対し、本実施形態のファクシミリ装置１は、図４に示すように、１°開いた状態ではまだオンのままであるものの、３°開いた状態になると、ケース側支持軸６１が凸部５６に作用してアクチュエータ５２を回動させ、当接面５９が前側（図中右側）へ移動する。そのため、接触可動部７６がオン範囲αを越えてカバー開閉検知スイッチがオフ状態となる。５°開いた状態になると、接触可動部７６はほぼ最上部に位置するようになる。
【００７７】
（４）ファクシミリ装置１の制御回路について
図６に、本実施形態のファクシミリ装置１の各種動作を制御するためにプリント回路基板４０に形成された制御回路の概略ブロック図を示す。
【００７８】
図６に示す如く、本実施形態のファクシミリ装置１では、各種動作の制御全体を統括するＣＰＵ８１と、ＣＰＵ８１により実行される各種制御プログラムが格納されたＲＯＭ８２と、ＣＰＵ８１による各種演算処理の際のワークエリアとして用いられるＲＡＭ８３と、ＣＰＵ８１により実行されるプログラムや各種パラメータ等が格納されたＥＥＰＲＯＭ８４と、ＣＰＵ８１の処理に基づいて各種情報を表示パネル３８へ表示させると共に、操作パネル３７における操作内容やカバー開閉検知スイッチ４１のオン・オフ状態などの情報をＣＰＵ８１へ入力するための入出力インターフェイス（Ｉ／Ｆ）８５と、ＣＩＳ２４による原稿読み取りを制御する読み取り制御部８７と、サーマルヘッド１４による記録紙７への画像記録を制御する記録制御部８８と、モータ９５の回転を制御するためのモータ制御部８９と、ＣＩＳ２４にて読み取った原稿の内容（画像）やサーマルヘッド１４にて記録紙７へ記録すべき画像に対する各種画像処理を行うための画像処理部９０と、ＣＩＳ２４にて読み取った内容（画像）の外部（公衆回線）への送信処理や外部から送信されてきた音声や画像の受信処理を行う通信Ｉ／Ｆ９１などが、内部バス９４を介して相互に接続されている。これらの各種機能ブロックは全て、プリント回路基板４０上に形成されている。
【００７９】
通信Ｉ／Ｆ９１は、各種データの送信処理を行う送信部９２と、受信した音声や画像の受信処理を行う受信部９３と、切換部９６とを備える。この通信Ｉ／Ｆ９１は、回線接続端子４３、外付電話端子４４、及び受話器接続端子４５も備えており、回線接続端子４３に外部の公衆回線が接続される。回線接続端子４３には、外部の公衆回線と接続するための接続コードが差し込まれる。外付電話端子４４には、他に電話機を使用する場合にその電話機と接続するための電話機コードが差し込まれる。受話器接続端子４５には受話器と接続するための電話機コードが差し込まれる。なお、送信部９２は本発明の出力手段に相当し、受信部９３は本発明の入力手段に相当する。
【００８０】
切換部９６は、上記各端子４３，４４，４５相互間の接続切り換えや、送信部９２又は受信部９３と回線接続端子４３との接続切り換えなどを行う。具体的には、当該ファクシミリ装置１の受話器にて外部の通話相手と音声通話が行われる際は回線接続端子４３と受話器接続端子４５とを相互に接続し、当該ファクシミリ装置１に接続された他の外付電話機にて外部の通話相手と音声通話が行われる際は回線接続端子４３と外付電話端子４４とを相互に接続する。また、原稿読み取り部２５にて読み取られた画像を外部に送信する際は送信部９２からの画像が回線接続端子４３から公衆回線へ送出されるようにし、公衆回線からの画像受信中或いは受信待機中は回線接続端子４３から受信部９３へ画像が入力されるようにする。
【００８１】
このように構成されたファクシミリ装置１では、外部の公衆回線から通信Ｉ／Ｆ９１にて画像が受信されると、ＣＰＵ８１の指令を受けつつ画像処理部９０が適宜画像処理を行う。そして、画像処理後の画像が、記録制御部８８を介してサーマルヘッド１４により記録紙７へ記録される。サーマルヘッド１４による画像記録中は、モータ制御部８９が、ＣＰＵ８１の指令に基づいてモータ９５の回転を制御し、記録側プラテン１３を回転させる。
【００８２】
また、原稿の内容を外部へ送信する際は、読み取り制御部８７により制御されるＣＩＳ２４が原稿を読み取る。そして、読み取り後の原稿は画像処理部９０により適宜処理され、その画像処理後の画像が送信部９２を介して外部の公衆回線へ送出される。
【００８３】
（５）本実施形態の効果
以上説明した本実施形態のファクシミリ装置１によれば、本体カバー３が一定量開かれると、アクチュエータ５２が回動してその当接面５９が当該装置１の前側へ移動し、カバー開閉検知スイッチ４１の接触可動部７６がオン範囲αの上側まで移動する（戻る）。そのため、当接面５９が前側へ移動されるまでの上記「一定量」を適宜調整することで、本体カバー３が僅かに開いただけでもその開状態を検知することが可能となる。
【００８４】
逆に言うと、開いている本体カバー３を閉じていく場合、閉じる寸前まではアクチュエータ５２の当接面５９が接触可動部７６をオン範囲αまで押圧（移動）せず、僅かな開状態にまで閉じられたときに（つまり、残りの閉じ量が上記一定量よりも少なくなったときに）、当接面５９の当該装置１前側への移動状態が解かれて、当接面５９が接触可動部７６をオン範囲α内まで押圧する。そのため、本体カバー３の閉状態が不十分なまま誤って開状態と検知されてしまうのを防止することができる。
【００８５】
また、上記実施形態のファクシミリ装置１では、アクチュエータ５２の案内孔５３に解除方向案内部５４（凸部５６及び凹部５５）を形成するだけの簡単な構成で、アクチュエータ５２を回動させて当接面５９を前側へ移動させるという動作が実現されている。そのため、高い精度で開閉状態を検知できるファクシミリ装置１を簡易的かつ安価に構成することができる。
【００８６】
更に、本実施形態では、本体カバー３を一定量開いたときに、本体カバー３の開閉方向（ファクシミリ装置１の上下方向）に対してほぼ垂直な方向である当該装置１の前側へ、アクチュエータ５２の当接面５９を移動させるようにしている。そのため、当接面５９の押圧によって接触可動部７６がオン範囲α内に移動されている状態を、より早く解除することができる。そのため、より僅かな本体カバー３の開き量でその開状態を検知することが可能となる。
【００８７】
（６）変形例
本発明の実施の形態は、上記実施形態に何ら限定されるものではなく、本発明の技術的範囲に属する限り種々の形態を採り得ることはいうまでもない。
【００８８】
例えば、上記実施形態では、本体カバー３の開閉状態を検知する手段として、カバー開閉検知スイッチ４１を用いたが、これ以外にも種々の検知手段を用いることができる。つまり、本体カバー３の開閉動作に伴ってその開閉方向に移動する他の部品（上記実施形態ではアクチュエータ５２）の位置に従いオン・オフされ、しかもオン状態となる位置に一定の幅があるような検知手段（例えばフォトインタラプタ）を、適宜用いることができる。
【００８９】
また、上記実施形態では、感熱紙からなる記録紙７にサーマルヘッド１４により画像の記録を行うファクシミリ装置１を例に挙げたが、本発明の適用はこのファクシミリ装置１に限らないことはいうまでもない。本体部に対して開閉動作可能な蓋部の開閉状態を検知できるよう構成されたあらゆる装置に対して本発明を適用可能である。
【図面の簡単な説明】
【００９０】
【図１】本実施形態のファクシミリ装置の概略構成を表す側断面図である。
【図２】本体カバーの開閉状態を検知するための機構を臨むように本実施形態のファクシミリ装置全体を見たときの状態を表す側面図である。
【図３】本体カバーの開閉状態を検知するための機構を臨むように本実施形態のファクシミリ装置全体を見たときの状態を表す側面図である。
【図４】本実施形態のファクシミリ装置における、本体カバーの開き量に対するカバー開閉検知スイッチの状態変化を説明するための説明図である。
【図５】従来のファクシミリ装置における、本体カバーの開き量に対するカバー開閉検知スイッチの状態変化を説明するための説明図である。
【図６】本実施形態のファクシミリ装置の制御回路を表す概略ブロック図である。
【図７】本体カバーの開閉状態を検知するための機構を臨むように従来のファクシミリ装置全体を見たときの状態を表す側面図である。
【図８】本体カバーの開閉状態を検知するための機構を臨むように従来のファクシミリ装置全体を見たときの状態を表す側面図である。
【図９】カバー開閉検知スイッチを構成する接触可動部７６の動きを説明するための説明図である。
【符号の説明】
【００９１】
１，１００…ファクシミリ装置、２…本体ケース、３…本体カバー、５…本体カバー回動軸、７…記録紙、１２…画像記録部、１３…記録側プラテン、１４…サーマルヘッド、２１…原稿挿入口、２２…ＡＤＦローラ、２３…読み取り側プラテン、２５…原稿読み取り部、３７…操作パネル、３８…表示パネル、４０…プリント回路基板、４１…カバー開閉検知スイッチ、５１…カバー側支持軸、５２，１０１…アクチュエータ、５３，１０２…案内孔、５４…解除方向案内部、５５…凹部、５６…凸部、５８…主案内部、５９，１０３…当接面、６１…ケース側支持軸、７６…接触可動部、８７…読み取り制御部、８８…記録制御部、９２…送信部、９３…受信部
【図１】
2007067643.tif 000003
【図２】
2007067643.tif 000004
【図３】
2007067643.tif 000005
【図４】
2007067643.tif 000006
【図５】
2007067643.tif 000007
【図６】
2007067643.tif 000008
【図７】
2007067643.tif 000009
【図８】
2007067643.tif 000010
【図９】
2007067643.tif 000011